(57)【特許請求の範囲】
【請求項１】
ユニキャストサービスおよびマルチキャストサービスを提供するネットワークに接続し前記ユニキャストサービスに係る情報を中継する基地局装置であるユニキャスト基地局装置と、前記ネットワークに接続し前記マルチキャストサービスに係る情報を中継する基地局装置であるマルチキャスト基地局装置と、前記ユニキャスト基地局装置およびマルチキャスト基地局装置と通信する移動局装置とを備える通信システムであって、
前記マルチキャスト基地局装置は、
ネットワーク通信部と、
基地局側無線通信部と、
前記ネットワーク通信部および前記基地局側無線通信部を制御する基地局側制御部とを有し、
前記移動局装置は、
移動局側無線通信部と
前記移動局側無線通信部を制御する移動局側制御部と
を有し、
前記移動局側制御部は、
前記マルチキャスト基地局装置から前記マルチキャストサービスに係る情報を受信する前に、前記ユニキャスト基地局装置を介して、前記マルチキャストサービスを提供するマルチキャストセルエリアを識別する識別情報を前記ネットワーク内の位置登録サーバに送信するように前記移動局側無線通信部を制御し、
前記基地局側制御部は、
前記ユニキャストサービスに係る情報の着信があった旨を示す着信情報であって前記位置登録サーバに前記識別情報が登録されている前記移動局装置に対する着信情報を前記ネットワーク通信部が受信した場合に、前記移動局装置に前記着信情報を送信するように前記基地局側無線通信部を制御し、
前記移動局側制御部は、
前記マルチキャスト基地局装置から前記マルチキャストサービスに係る情報を受信しているときに、前記マルチキャスト基地局装置から送信された前記着信情報を受信するように前記移動局側無線通信部を制御し、
現在受信しているマルチキャストサービスと異なるマルチキャストサービスのマルチキャストセルエリアを識別する識別情報を受信したとき、現在受信しているマルチキャストサービスに係る情報の受信を終了するように前記移動局側無線通信部を制御し、
受信可能なユニキャスト基地局装置をサーチし、前記位置登録サーバに登録されている識別情報を新たに受信するマルチキャストサービスに係る識別情報に更新し、前記新たに受信するマルチキャストサービスに係る情報の受信を開始するように前記移動局側無線通信部を制御する
ことを特徴とする通信システム。
【請求項２】
前記移動局側制御部は、
前記マルチキャスト基地局装置から前記マルチキャストサービスに係る情報を受信しているときに前記着信情報を受信するように前記移動局側無線通信部を制御しているときに、前記移動局側無線通信部が前記着信情報を受信した場合、前記マルチキャスト基地局装置から前記マルチキャストサービスに係る情報を受信することを終了し、前記ユニキャスト基地局装置と前記ユニキャストサービスに係る情報を送受信するように前記移動局側無線通信部を制御することを特徴とする請求項１に記載の通信システム。
【請求項３】
前記移動局側制御部は、
前記マルチキャスト基地局装置から前記マルチキャストサービスに係る情報を受信しているときに前記着信情報を受信するように前記移動局側無線通信部を制御しているときに、前記移動局側無線通信部が前記着信情報を受信した場合、前記移動局装置のユーザの指示に応じて、前記マルチキャスト基地局装置から前記マルチキャストサービスに係る情報を受信することを終了し、前記ユニキャスト基地局装置と前記ユニキャストサービスに係る情報を送受信するように前記移動局側無線通信部を制御することを特徴とする請求項１に記載の通信システム。
【請求項４】
前記基地局側制御部は、
マルチメディア配信用のセルを利用する通信によって、前記マルチキャストサービスに係る情報を送信するように前記基地局側無線通信部を制御し、
前記移動局側制御部は、
マルチメディア配信用のセルを利用する通信によって、前記マルチキャストサービスに係る情報を受信するように前記移動局側無線通信部を制御することを特徴とする請求項１から請求項３の何れか１項に記載の通信システム。
【請求項５】
前記基地局側制御部は、
マルチメディア配信用のセル全体に送信される報知チャネルを用いて前記着信情報を送信するように前記基地局側無線通信部を制御し、
前記移動局側制御部は、
前記報知チャネルを用いて前記着信情報を受信するように前記移動局側無線通信部を制御することを特徴とする請求項１に記載の通信システム。
【請求項６】
前記基地局側制御部は、
所定のタイミングで送信されるページングチャネルを用いて前記着信情報を送信するように前記基地局側無線通信部を制御し、
前記移動局側制御部は、
前記ページングチャネルを用いて前記着信情報を受信するように前記移動局側無線通信部を制御することを特徴とする請求項１に記載の通信システム。
【請求項７】
ユニキャストサービスおよびマルチキャストサービスを提供するネットワークに接続し前記ユニキャストサービスに係る情報を中継する基地局装置であるユニキャスト基地局装置と通信し、前記ネットワークに接続し前記マルチキャストサービスに係る情報を中継する基地局装置であるマルチキャスト基地局装置と通信する移動局装置であって、
無線通信部と、
前記無線通信部を制御する制御部と
を備え、
前記制御部は、
前記マルチキャスト基地局装置から前記マルチキャストサービスに係る情報を受信する前に、前記ユニキャスト基地局装置を介して、前記マルチキャストサービスを提供するマルチキャストセルエリアを識別する識別情報を前記ネットワーク内の位置登録サーバに送信するように前記無線通信部を制御し、前記マルチキャスト基地局装置から前記マルチキャストサービスに係る情報を受信しているときに、前記マルチキャスト基地局装置から送信された前記ユニキャストサービスに係る情報の着信があった旨を示す着信情報を受信するように前記無線通信部を制御し、
現在受信しているマルチキャストサービスと異なるマルチキャストサービスのマルチキャストセルエリアを識別する識別情報を受信したとき、現在受信しているマルチキャストサービスに係る情報の受信を終了するように前記無線通信部を制御し、
受信可能なユニキャスト基地局装置をサーチし、前記位置登録サーバに登録されている識別情報を新たに受信するマルチキャストサービスに係る識別情報に更新し、前記新たに受信するマルチキャストサービスに係る情報の受信を開始するように前記無線通信部を制御することを特徴とする移動局装置。
【請求項８】
前記無線通信部は、ＭＩＭＯの送受信を行うことのできる複数の送受信アンテナを備えることを特徴とする請求項７に記載の移動局装置。
【請求項９】
ユニキャストサービスおよびマルチキャストサービスを提供するネットワークに接続し前記ユニキャストサービスに係る情報を中継する基地局装置であるユニキャスト基地局装置と、前記ネットワークに接続し前記マルチキャストサービスに係る情報を中継する基地局装置であるマルチキャスト基地局装置と、前記ユニキャスト基地局装置および前記マルチキャスト基地局装置と通信する移動局装置とを備える通信システムにおける通信方法であって、
前記ユニキャストサービスに係る情報の着信があった旨を示す着信情報であって前記ネットワーク内の位置登録サーバに前記マルチキャストサービスを提供するマルチキャストセルエリアを識別する識別情報が登録されている前記移動局装置に対する着信情報を受信した場合に、前記移動局装置に前記着信情報を送信するステップ
を有し、
前記移動局装置が、
前記マルチキャスト基地局装置から前記マルチキャストサービスに係る情報を受信する前に、前記ユニキャスト基地局装置を介して、前記識別情報を前記位置登録サーバに送信するステップと、
前記マルチキャスト基地局装置から前記マルチキャストサービスに係る情報を受信しているときに、前記マルチキャスト基地局装置から前記着信情報を受信するステップと、
現在受信しているマルチキャストサービスと異なるマルチキャストサービスのマルチキャストセルエリアを識別する識別情報を受信したとき、現在受信しているマルチキャストサービスに係る情報の受信を終了するステップと、
受信可能なユニキャスト基地局装置をサーチし、前記位置登録サーバに登録されている識別情報を新たに受信するマルチキャストサービスに係る識別情報に更新し、前記新たに受信するマルチキャストサービスに係る情報の受信を開始するステップと、
を有することを特徴とする通信方法。
【請求項１０】
ユニキャストサービスおよびマルチキャストサービスを提供するネットワークに接続し前記ユニキャストサービスに係る情報を中継する基地局装置であるユニキャスト基地局装置と通信し、前記ネットワークに接続し前記マルチキャストサービスに係る情報を中継する基地局装置であるマルチキャスト基地局装置と通信する移動局装置における通信方法であって、
前記マルチキャスト基地局装置から前記マルチキャストサービスに係る情報を受信する前に、前記ユニキャスト基地局装置を介して、前記マルチキャストサービスを提供するマルチキャストセルエリアを識別する識別情報を前記ネットワーク内の位置登録サーバに送信するステップと、
前記マルチキャスト基地局装置から前記マルチキャストサービスに係る情報を受信しているときに、前記マルチキャスト基地局装置から前記ユニキャストサービスに係る情報の着信があった旨を示す着信情報を受信するステップと、
現在受信しているマルチキャストサービスと異なるマルチキャストサービスのマルチキャストセルエリアを識別する識別情報を受信したとき、現在受信しているマルチキャストサービスに係る情報の受信を終了するステップと、
受信可能なユニキャスト基地局装置をサーチし、前記位置登録サーバに登録されている識別情報を新たに受信するマルチキャストサービスに係る識別情報に更新し、前記新たに受信するマルチキャストサービスに係る情報の受信を開始するステップと、
を有することを特徴とする通信方法。
【発明の詳細な説明】
【技術分野】
【０００１】
本発明は、通信システム、移動局装置および通信方法に関する。本願は、２００８年１１月６日に、日本に出願された特願２００８−２８５７４９号に基づき優先権を主張し、その内容をここに援用する。
【背景技術】
【０００２】
移動通信関係の標準化を担当する３ＧＰＰ（Ｔｈｉｒｄ  Ｇｅｎｅｒａｔｉｏｎ  Ｐａｒｔｎｅｒｓｈｉｐ  Ｐｒｏｊｅｃｔ、第３世代パートナーシップ・プロジェクト）は、移動局装置側の着信方法に関し、ページングメッセージを含むページング信号とそれに付随したページング識別子とを用いてネットワークに位置登録された移動局装置に対し、着信の存在を通知すると規定する（例えば、非特許文献１、２参照）。なお、上記通知（着信通知）に係る接続は、１対１の接続であるＰｏｉｎｔ−ｔｏ−Ｐｏｉｎｔ接続（ユニキャストとも称する）の双方向通信である。なお、以下の説明において、Ｐｏｉｎｔ−ｔｏ−Ｐｏｉｎｔ接続（ユニキャスト）によって提供されるサービスをユニキャストサービスという。【０００３】
また、コンテンツなどを配信するための技術として、ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）が知られている。ＭＢＭＳは、モバイルパケットネットワークを使用する放送／マルチキャストサービスである。なお、ＭＢＭＳに係る接続は、以下のように、原則、コンテンツなどを多くのユーザに同時一斉に送信できるＰｏｉｎｔ−ｔｏ−Ｍｕｌｔｉｐｏｉｎｔ接続（マルチキャストとも称する）の片方向通信である。従って、上述の着信通知に係る接続とＭＢＭＳに係る接続とは接続形態が異なる。なお、以下の説明において、Ｐｏｉｎｔ−ｔｏ−Ｍｕｌｔｉｐｏｉｎｔ接続（マルチキャスト）によって提供されるサービスをマルチキャストサービスという。【０００４】
現在、ＭＢＭＳは、ｍｉｘｅｄ−ＭＢＭＳおよびｄｅｄｉｃａｔｅｄ−ＭＢＭＳの２つの通信方式が仕様化されている（例えば、非特許文献３参照）。ｍｉｘｅｄ−ＭＢＭＳは、ユニキャストサービスとマルチキャストサービスであるＭＢＭＳの両方の通信が時分割多重で行われる通信方式である。一方、ｄｅｄｉｃａｔｅｄ−ＭＢＭＳは、マルチキャストサービスであるＭＢＭＳ専用の周波数帯を利用する受信専用の通信方式である。何れもＭＢＭＳの伝送にはＳＦＮ（Ｓｉｎｇｌｅ  Ｆｒｅｑｕｅｎｃｙ  Ｎｅｔｗｏｒｋ、単一周波数中継とも称する）によって実装できる。なお、ＳＦＮによって実装されたＭＢＭＳをＭＢＳＦＮ（ＭＢＭＳ  ＳＦＮ）とも称する。
【先行技術文献】
【非特許文献】
【０００５】
【非特許文献１】３ＧＰＰ  ＴＳ２５．２１１  ５．３．３．１０“Ｐａｇｉｎｇ  Ｉｎｄｉｃａｔｏｒ  Ｃｈａｎｎｅｌ（ＰＩＣＨ）”
【非特許文献２】３ＧＰＰ  ＴＳ２５．３０４  ８．“Ｐａｇｉｎｇ  ａｎｄ  ＳＣＣＰＣＨ  ｓｅｌｅｃｔｉｏｎ”
【非特許文献３】３ＧＰＰ  ＴＳ３６．３００  Ｖ８．５．０  １５．２“ＭＢＭＳ  Ｃｅｌｌｓ”
【発明の概要】
【発明が解決しようとする課題】
【０００６】
しかしながら、ユニキャストサービス、および、専用の周波数帯を利用する受信専用のマルチキャストサービス（例えば、ｄｅｄｉｃａｔｅｄ−ＭＢＭＳ）の両サービスに対応するような移動局装置では、専用の周波数帯を利用する受信専用のマルチキャストサービスを受けているときは、ユニキャストサービスによる着信通知を受けることができないという問題がある。換言すれば、ユニキャストサービス、および、専用の周波数帯を利用する受信専用のマルチキャストサービスの両サービスに対応する移動局装置のユーザは、ユニキャストサービスの受信エリア内であっても、専用の周波数帯を利用する受信専用のマルチキャストサービスを受けているときは、ユニキャストサービスによる着信通知を認識できないという問題がある。なお、現在、ｄｅｄｉｃａｔｅｄ−ＭＢＭＳを受信中のユニキャストサービスによる着信通知に関しては３ＧＰＰにおいて特に規定されていない（例えば、非特許文献３の１５．２節参照）。【０００７】
本発明は、上記問題に鑑みてなされたものであり、その目的は、ユニキャストサービス、および、専用の周波数帯を利用する受信専用のマルチキャストサービスの両サービスに対応するような移動局装置が、専用の周波数帯を利用する受信専用のマルチキャストサービスを受けているときであっても、ユニキャストサービスによる着信通知を受けるための簡便な技術を提供することにある。
【課題を解決するための手段】
【０００８】
上記問題を解決するために、本発明の第１の態様である通信システムは、ユニキャストサービスおよびマルチキャストサービスを提供するネットワークに接続しユニキャストサービスに係る情報を中継する基地局装置であるユニキャスト基地局装置と、ネットワークに接続しマルチキャストサービスに係る情報を中継する基地局装置であるマルチキャスト基地局装置と、ユニキャスト基地局装置およびマルチキャスト基地局装置と通信する移動局装置とを備える通信システムであって、マルチキャスト基地局装置は、ネットワーク通信部と、基地局側無線通信部と、ネットワーク通信部および基地局側無線通信部を制御する基地局側制御部とを有し、移動局装置は、移動局側無線通信部と移動局側無線通信部を制御する移動局側制御部とを有し、移動局側制御部は、マルチキャスト基地局装置からマルチキャストサービスに係る情報を受信する前に、ユニキャスト基地局装置を介して、マルチキャストサービスを提供するマルチキャストセルエリアを識別する識別情報をネットワーク内の位置登録サーバに送信するように移動局側無線通信部を制御し、基地局側制御部は、ユニキャストサービスに係る情報の着信があった旨を示す着信情報であって位置登録サーバに識別情報が登録されている移動局装置に対する着信情報をネットワーク通信部が受信した場合に、移動局装置に着信情報を送信するように基地局側無線通信部を制御し、移動局側制御部は、マルチキャスト基地局装置からマルチキャストサービスに係る情報を受信しているときに、マルチキャスト基地局装置から送信された着信情報を受信するように移動局側無線通信部を制御し、現在受信しているマルチキャストサービスと異なるマルチキャストサービスのマルチキャストセルエリアを識別する識別情報を受信したとき、現在受信しているマルチキャストサービスに係る情報の受信を終了するように前記移動局側無線通信部を制御し、受信可能なユニキャスト基地局装置をサーチし、前記位置登録サーバに登録されている識別情報を新たに受信するマルチキャストサービスに係る識別情報に更新し、前記新たに受信するマルチキャストサービスに係る情報の受信を開始するように前記移動局側無線通信部を制御することを特徴とする。
【０００９】
上記通信システムにおいて、移動局側制御部は、マルチキャスト基地局装置からマルチキャストサービスに係る情報を受信しているときに着信情報を受信するように移動局側無線通信部を制御しているときに、移動局側無線通信部が着信情報を受信した場合、マルチキャスト基地局装置からマルチキャストサービスに係る情報を受信することを終了し、ユニキャスト基地局装置とユニキャストサービスに係る情報を送受信するように移動局側無線通信部を制御してもよい。【００１０】
上記通信システムにおいて、移動局側制御部は、マルチキャスト基地局装置からマルチキャストサービスに係る情報を受信しているときに着信情報を受信するように移動局側無線通信部を制御しているときに、移動局側無線通信部が着信情報を受信した場合、移動局装置のユーザの指示に応じて、マルチキャスト基地局装置からマルチキャストサービスに係る情報を受信することを終了し、ユニキャスト基地局装置とユニキャストサービスに係る情報を送受信するように移動局側無線通信部を制御してもよい。【００１１】
上記通信システムにおいて、基地局側制御部は、基地局側制御部は、マルチメディア配信用のセルを利用する通信によって、マルチキャストサービスに係る情報を送信するように基地局側無線通信部を制御し、移動局側制御部は、マルチメディア配信用のセルを利用する通信によって、マルチキャストサービスに係る情報を受信するように移動局側無線通信部を制御してもよい。【００１２】
上記通信システムにおいて、基地局側制御部は、マルチメディア配信用のセル全体に送信される報知チャネルを用いて着信情報を送信するように基地局側無線通信部を制御し、移動局側制御部は、報知チャネルを用いて着信情報を受信するように移動局側無線通信部を制御してもよい。  【００１３】
上記通信システムにおいて、基地局側制御部は、所定のタイミングで送信されるページングチャネルを用いて着信情報を送信するように基地局側無線通信部を制御し、  移動局側制御部は、ページングチャネルを用いて着信情報を受信するように移動局側無線通信部を制御してもよい。【００１５】
上記問題を解決するために、本発明の第３の態様である移動局装置は、ユニキャストサービスおよびマルチキャストサービスを提供するネットワークに接続しユニキャストサービスに係る情報を中継する基地局装置であるユニキャスト基地局装置と通信し、ネットワークに接続しマルチキャストサービスに係る情報を中継する基地局装置であるマルチキャスト基地局装置と通信する移動局装置であって、無線通信部と無線通信部を制御する制御部とを備え、制御部は、マルチキャスト基地局装置からマルチキャストサービスに係る情報を受信する前に、ユニキャスト基地局装置を介して、マルチキャストサービスを提供するマルチキャストセルエリアを識別する識別情報をネットワーク内の位置登録サーバに送信するように無線通信部を制御し、マルチキャスト基地局装置からマルチキャストサービスに係る情報を受信しているときに、マルチキャスト基地局装置から送信されたユニキャストサービスに係る情報の着信があった旨を示す着信情報を受信するように無線通信部を制御し、現在受信しているマルチキャストサービスと異なるマルチキャストサービスのマルチキャストセルエリアを識別する識別情報を受信したとき、現在受信しているマルチキャストサービスに係る情報の受信を終了するように前記無線通信部を制御し、受信可能なユニキャスト基地局装置をサーチし、前記位置登録サーバに登録されている識別情報を新たに受信するマルチキャストサービスに係る識別情報に更新し、前記新たに受信するマルチキャストサービスに係る情報の受信を開始するように前記無線通信部を制御することを特徴とする。
【００１６】
上記移動局装置において、前記無線通信部は、ＭＩＭＯの送受信を行うことのできる複数の送受信アンテナを備えるようにしてもよい。【００１７】
上記問題を解決するために、本発明の第４の態様である通信方法は、ユニキャストサービスおよびマルチキャストサービスを提供するネットワークに接続しユニキャストサービスに係る情報を中継する基地局装置であるユニキャスト基地局装置と、ネットワークに接続しマルチキャストサービスに係る情報を中継する基地局装置であるマルチキャスト基地局装置と、ユニキャスト基地局装置およびマルチキャスト基地局装置と通信する移動局装置とを備える通信システムにおける通信方法であって、ユニキャストサービスに係る情報の着信があった旨を示す着信情報であってネットワーク内の位置登録サーバにマルチキャストサービスを提供するマルチキャストセルエリアを識別する識別情報が登録されている移動局装置に対する着信情報を受信した場合に、移動局装置に着信情報を送信するステップを有し、移動局装置が、マルチキャスト基地局装置からマルチキャストサービスに係る情報を受信する前に、ユニキャスト基地局装置を介して、識別情報を位置登録サーバに送信するステップと、マルチキャスト基地局装置からマルチキャストサービスに係る情報を受信しているときに、マルチキャスト基地局装置から着信情報を受信するステップと、現在受信しているマルチキャストサービスと異なるマルチキャストサービスのマルチキャストセルエリアを識別する識別情報を受信したとき、現在受信しているマルチキャストサービスに係る情報の受信を終了するステップと、受信可能なユニキャスト基地局装置をサーチし、前記位置登録サーバに登録されている識別情報を新たに受信するマルチキャストサービスに係る識別情報に更新し、前記新たに受信するマルチキャストサービスに係る情報の受信を開始するステップと、を有することを特徴とする。
【００１９】
上記問題を解決するために、本発明の第６の態様である他の通信方法は、ユニキャストサービスおよびマルチキャストサービスを提供するネットワークに接続しユニキャストサービスに係る情報を中継する基地局装置であるユニキャスト基地局装置と通信し、ネットワークに接続しマルチキャストサービスに係る情報を中継する基地局装置であるマルチキャスト基地局装置と通信する移動局装置における通信方法であって、マルチキャスト基地局装置からマルチキャストサービスに係る情報を受信する前に、ユニキャスト基地局装置を介して、マルチキャストサービスを提供するマルチキャストセルエリアを識別する識別情報をネットワーク内の位置登録サーバに送信するステップと、マルチキャスト基地局装置からマルチキャストサービスに係る情報を受信しているときに、マルチキャスト基地局装置からユニキャストサービスに係る情報の着信があった旨を示す着信情報を受信するステップと、現在受信しているマルチキャストサービスと異なるマルチキャストサービスのマルチキャストセルエリアを識別する識別情報を受信したとき、現在受信しているマルチキャストサービスに係る情報の受信を終了するステップと、受信可能なユニキャスト基地局装置をサーチし、前記位置登録サーバに登録されている識別情報を新たに受信するマルチキャストサービスに係る識別情報に更新し、前記新たに受信するマルチキャストサービスに係る情報の受信を開始するステップと、を有することを特徴とする。
【発明の効果】
【００２０】
本発明によれば、簡便な方法によって、ユニキャストサービス、および、専用の周波数帯を利用する受信専用のマルチキャストサービス（例えば、ｄｅｄｉｃａｔｅｄ−ＭＢＭＳ）の両サービスに対応するような移動局装置が、専用の周波数帯を利用する受信専用のマルチキャストサービスを受けているときであっても、ユニキャストサービスによる着信通知を受けることができるようになる。
【図面の簡単な説明】
【００２１】
【図１】本発明の実施形態による通信システムの概念図である。
【図２Ａ】本発明の実施形態によるマルチキャスト基地局装置の構成を示す概略ブロック図である。
【図２Ｂ】本発明の実施形態によるユニキャスト基地局装置の構成を示す概略ブロック図である。
【図３】本発明の実施形態による移動局装置の構成を示す概略ブロック図である。
【図４】本発明の実施形態による移動局装置、マルチキャスト基地局装置およびユニキャスト基地局装置の動作を説明する説明図である。
【図５】本発明の実施形態による移動局装置、マルチキャスト基地局装置およびユニキャスト基地局装置の動作を説明する説明図である。
【図６】本発明の実施形態による通信システムの動作を説明するシーケンス図である。
【発明を実施するための形態】
【００２２】
以下、図面を参照し、本発明の実施形態について説明する。図１は、本発明の実施形態による通信システムの概念図である。この通信システムは、図１に示す移動局装置１０、基地局装置２０、３０、４０、５０を備える。図１中のネットワーク網７０には、移動局装置１０、基地局装置２０、３０、４０、５０および位置登録サーバ６０（ＨＬＳ（Ｈｏｍｅ  Ｌｏｃａｔｉｏｎ  Ｒｅｇｉｓｔｅｒ）とも称する）に加えて、非図示の各種サーバ（例えば、ユニキャストサービスを提供するサーバ、マルチキャストサービス（例えば、ｄｅｄｉｃａｔｅｄ−ＭＢＭＳ）を提供するサーバ）が接続されている。また、図中の８０は、移動局装置１０と各基地局装置とを接続する無線アクセスネットワークである。
【００２３】
基地局装置２０（マルチキャスト基地局装置、ＭＢＭＳ基地局、ＭＢＳＦＮ基地局装置とも称する）は、ネットワーク網７０に接続しマルチキャストサービスに係る情報（ＭＢＭＳ信号とも称する）を中継する。基地局装置３０および基地局装置４０も同様である。なお、マルチキャストサービスに係る情報は、例えば、音声、画像（動画、静止画）などのコンテンツである。なお、図１中のマルチキャストセルエリアは、基地局装置２０、３０、４０によって構成されるマルチメディア配信用のセルエリア、つまりマルチキャストサービスの受信エリアである。移動局装置１０は、マルチキャストセルエリアにおいて、マルチキャストサービスに係る情報を受信することができる状態（マルチキャスト待受状態とも称する）になる。なお、マルチキャストセルエリアの一例は、ＭＢＳＦＮのセルエリア（ＭＢＳＦＮセルエリアとも称する）である。マルチキャストセルエリアは、識別情報（例えば、ＭＢＳＦＮセルエリアを識別する識別情報（ＭＢＳＦＮ−ＩＤとも称する））によって識別される。換言すれば、識別情報によって、例えば、あるマルチキャストサービスａを提供するマルチキャストセルエリアＡと、マルチキャストサービスｂを提供するマルチキャストセルエリアＢとを識別することができる。
【００２４】
基地局装置５０（ユニキャスト基地局装置とも称する）は、ネットワーク網７０に接続しユニキャストサービスに係る情報を中継する。なお、ユニキャストサービスに係る情報は、例えば、音声通話、ＴＶ電話、パケット通信などである。なお、図１中のユニキャストセルエリアはユニキャスト基地局装置５０の受信エリア、つまりユニキャストサービスの受信エリアである。移動局装置１０は、ユニキャストセルエリアにおいて、ユニキャストサービスに係る情報を受信することができる状態（ユニキャスト待受状態とも称する）になる。
【００２５】
移動局装置１０は、マルチキャスト基地局装置２０、３０、４０、ユニキャスト基地局装置５０と通信する。具体的には、移動局装置１０は、マルチキャスト基地局装置２０、３０、４０からマルチキャストサービスに係る情報を受信し、ユニキャスト基地局装置５０との間でユニキャストサービスに係る情報を送受信する。なお、移動局装置１０と各基地局装置とを接続する無線アクセスネットワーク８０は、例えば、Ｗ−ＣＤＭＡ、ＣＤＭＡ２０００、ＯＦＤＭなどの通信アクセス技術（無線アクセス技術とも称する）によって実現される。なお、便宜上、ＯＦＤＭ技術によって実現されているものとして説明する。
【００２６】
図１によれば、移動局装置１０は、マルチキャストセルエリアおよびユニキャストセルエリアに位置しているため、ネットワーク網７０（マルチキャストサービスを提供するサーバ）からマルチキャスト基地局装置２０、３０、４０を介して提供されるマルチキャストサービス、および、ネットワーク網７０（ユニキャストサービスを提供するサーバ）からユニキャスト基地局装置５０を介して提供されるユニキャストサービスも利用可能である。更に、移動局装置１０は、マルチキャストサービスに係る情報の受信中に、移動局装置１０にユニキャストサービスに係る情報の着信があった旨を示す着信情報（例えば、音声通話の着信通知）を受信することができるが、詳細は後述する。
【００２７】
なお、移動局装置１０は、ＭＢＳＦＮの場合、マルチキャスト基地局装置２０、３０、４０の少なくとも１つの信号を受信し、復調し、マルチキャストサービスを受ける。一方、ユニキャストサービスの場合、ユニキャスト基地局装置５０と接続し、所望のユニキャストサービスを受ける。
【００２８】
なお、図１において、本発明による実施形態の通信システムは、３つのマルチキャスト基地局装置２０、３０、４０を備えたが、マルチキャスト基地局装置の数は例示であって、１または複数のマルチキャスト基地局装置を備えてもよい。同様に、図１において、本発明による実施形態の通信システムは、１つのユニキャスト基地局装置５０を備えたが、ユニキャスト基地局装置の数は例示であって、複数のユニキャスト基地局装置を備えてもよい。また、マルチキャストサービスを提供するサーバは、１または複数の装置から構成され、マルチキャストサービスに係る種々の処理（例えば、配信、認証、許可、課金、帯域制御）を行う。また、ユニキャストサービスを提供するサーバは、１または複数の装置から構成され、ユニキャストサービスに係る種々の処理（例えば、交換（呼制御）、プロトコル変換、認証、許可、課金、帯域制御）を行う。なお、マルチキャスト基地局装置２０、３０、４０の動作、機能は同一であるため、以下の説明において、代表してマルチキャスト基地局装置２０について説明する。
【００２９】
続いて、マルチキャスト基地局装置２０の構成およびユニキャスト基地局装置５０の構成について説明する。図２Ａはマルチキャスト基地局装置の構成を示す概略ブロック図である。図２Ｂはユニキャスト基地局装置の構成を示す概略ブロック図である。
【００３０】
マルチキャスト基地局装置２０は、図２Ａに示すように、ネットワーク通信部２００、無線送信部２１１（無線通信部または基地局側無線通信部とも称する）、制御部２２０（基地局側制御部とも称する）およびアンテナ部２４０を備える。
【００３１】
アンテナ部２４０は、無線周波数帯のＯＦＤＭ信号の送信を行う。制御部２２０は、ネットワーク通信部２００および無線送信部２１１を制御する。ネットワーク通信部２００および無線送信部２１１は、制御部２２０の制御などに従って種々の動作をする。
【００３２】
例えば、制御部２２０は、ネットワーク網７０（マルチキャストサービスを提供するサーバ）からマルチキャストサービスに係る情報を受信するようにネットワーク通信部２００を制御する。但し、ネットワーク通信部２００は、制御部２２０の制御によらず、ネットワーク網７０（マルチキャストサービスを提供するサーバ）からマルチキャストサービスに係る情報を受信するようにしてもよい。
【００３３】
また、制御部２２０は、ネットワーク網７０（マルチキャストサービスを提供するサーバ）から、ユニキャストサービスに係る情報の着信があった旨を示す着信情報であってネットワーク網７０（位置登録サーバ６０）に識別情報（例えば、ＭＢＳＦＮ−ＩＤ）が登録されている移動局装置１０に対する着信情報を受信するようにネットワーク通信部２００を制御する。なお、ネットワーク網７０（マルチキャストサービスを提供するサーバ）は、識別情報がネットワーク網７０（位置登録サーバ６０）に登録されている移動局装置１０へのユニキャストサービスに係る情報の着信があった場合、マルチキャスト基地局装置２０に着信情報を送信する。
【００３４】
また、制御部２２０は、マルチキャストサービスを提供するサーバに代えて、ユニキャストサービスを提供するサーバまたは位置登録サーバ６０から着信情報を受信するようにネットワーク通信部２００を制御してもよい。但し、ネットワーク通信部２００は、制御部２２０の制御によらず、ネットワーク網７０（マルチキャストサービスを提供するサーバ、ユニキャストサービスを提供するサーバまたは位置登録サーバ６０）から上記着信情報を受信するようにしてもよい。
【００３５】
また、制御部２２０は、マルチキャストサービスに係る情報を移動局装置１０に送信するように無線送信部２１１を制御する。
【００３６】
また、制御部２２０は、ユニキャストサービスに係る情報の着信があった旨を示す着信情報を移動局装置１０に送信するように無線送信部２１１を制御する。より詳細には、制御部２２０は、ネットワーク通信部２００がネットワーク網７０（マルチキャストサービスを提供するサーバ、ユニキャストサービスを提供するサーバまたは位置登録サーバ６０）から着信情報を受信した場合、着信情報を移動局装置１０に送信するように無線送信部２１１を制御する。
【００３７】
ユニキャスト基地局装置５０は、図２Ｂに示すように、ネットワーク通信部５００（単に、通信部とも称する）、無線通信部５１０、制御部５２０、デュプレクサ５３０、デュプレクサ５３１、アンテナ部５４０およびアンテナ部５４１を備える。無線通信部５１０は無線送信部５１１および無線受信部５１２を備える。
【００３８】
アンテナ部５４０およびアンテナ部５４１は、無線周波数帯のＯＦＤＭ信号の送受信を行う。アンテナ部５４０およびアンテナ部５４１の２つのアンテナ部が存在する理由は、２×２のＭＩＭＯ（Ｍｕｌｔｉｐｌｅ  Ｉｎｐｕｔ／Ｍｕｌｔｉｐｌｅ  Ｏｕｔｐｕｔ、多入力／多出力）ユニキャスト通信を行うためである。但し、ユニキャスト通信は、２×２のＭＩＭＯに特定されるものではなく、ＳＩＳＯ（Ｓｉｎｇｌｅ  Ｉｎｐｕｔ／Ｓｉｎｇｌｅ  Ｏｕｔｐｕｔ、１入力／１出力）、４×４のＭＩＭＯなどであってもよい。デュプレクサ５３０は、送受信信号をアンテナ部５４０で共有するため処理を行う。同様に、デュプレクサ５３１は、送受信信号をアンテナ部５４１で共有するため処理を行う。
【００３９】
制御部５２０は、ネットワーク通信部５００および無線通信部５１０を制御する。ネットワーク通信部５００および無線通信部５１０は、制御部５２０の制御などに従って種々の動作をする。
【００４０】
例えば、制御部５２０は、ネットワーク網７０（ユニキャストサービスを提供するサーバ）からユニキャストサービスに係る情報を受信するようにネットワーク通信部５００を制御する。但し、ネットワーク通信部５００は、制御部５２０の制御によらず、ネットワーク網７０（ユニキャストサービスを提供するサーバ）からユニキャストサービスに係る情報を受信するようにしてもよい。なお、ネットワーク網７０（ユニキャストサービスを提供するサーバ）から受信するユニキャストサービスに係る情報には、ユニキャストサービスに係る情報の着信があった旨を示す着信情報も含まれる。
【００４１】
また、制御部５２０は、ネットワーク網７０（ユニキャストサービスを提供するサーバ）にユニキャストサービスに係る情報を送信するようにネットワーク通信部５００を制御する。
【００４２】
また、制御部５２０は、ネットワーク網７０（位置登録サーバ６０）にユニキャストサービスに係る位置情報を送信するようにネットワーク通信部５００を制御する。また、制御部５２０は、ネットワーク網７０（位置登録サーバ６０）に識別情報（例えば、ＭＢＳＦＮ−ＩＤ）を送信するようにネットワーク通信部５００を制御する。
【００４３】
また、制御部５２０は、ユニキャストサービスに係る情報を移動局装置１０に送信するように無線通信部５１０（無線送信部５１１）を制御する。なお、移動局装置１０に送信するユニキャストサービスに係る情報には、ユニキャストサービスに係る情報の着信があった旨を示す着信情報も含まれる。
【００４４】
また、制御部５２０は、ユニキャストサービスに係る情報を移動局装置１０から受信するように無線通信部５１０（無線受信部５１２）を制御する。但し、無線通信部５１０（無線受信部５１２）は、制御部５２０の制御によらず、移動局装置１０からユニキャストサービスに係る情報を受信するようにしてもよい。なお、移動局装置１０から受信するユニキャストサービスに係る情報には、ユニキャストサービスに係る位置情報も含まれる。
【００４５】
また、制御部５２０は、識別情報（例えば、ＭＢＳＦＮ−ＩＤ）を移動局装置１０から受信するように無線通信部５１０（無線受信部５１２）を制御する。但し、無線通信部５１０（無線受信部５１２）は、制御部５２０の制御によらず、移動局装置１０から識別情報（例えば、ＭＢＳＦＮ−ＩＤ）を受信するようにしてもよい。
【００４６】
続いて、移動局装置１０の構成について説明する。図３は、移動局装置１０の構成を示す概略ブロック図である。移動局装置１０は、図３に示すように、無線通信部１１０（移動局側無線通信部とも称する）、制御部１２０（移動局側制御部とも称する）、デュプレクサ１３０、デュプレクサ１３１、アンテナ部１４０およびアンテナ部１４１を備える。無線通信部１１０は無線送信部１１１および無線受信部１１２を備える。
【００４７】
アンテナ部１４０およびアンテナ部１４１は、無線周波数帯のＯＦＤＭ信号の送受信を行う。アンテナ部１４０は、ユニキャストサービスに係る情報の送受信用のアンテナである。アンテナ部１４１は、マルチキャストサービスに係る情報の受信用のアンテナである。デュプレクサ１３０は、送受信信号をアンテナ部１４０で共有するため処理を行う。なお、アンテナ部１４０とアンテナ部１４１とを合わせた２つのアンテナ部で、２×２のＭＩＭＯユニキャストの通信を行うことができる。なお、図３において、送信信号はアンテナ部１４０のみを使用する構成としているが、２つのアンテナ部１４０、１４１を使用して送信ダイバーシティなどを行う場合には、アンテナ部１４１も使用して送信できるようにデュプレクサを１つ追加した構成としてもよい。
【００４８】
制御部１２０は、無線通信部１１０を制御する。無線通信部１１０は、制御部１２０の制御などに従って種々の動作をする。
【００４９】
例えば、制御部１２０は、ユニキャストサービスに係る情報をユニキャスト基地局装置５０に送信するように無線通信部１１０（無線送信部１１１）を制御する。なお、ユニキャスト基地局装置５０に送信するユニキャストサービスに係る情報には、ユニキャストサービスに係る位置情報も含まれる。
【００５０】
また、制御部１２０は、識別情報（例えば、ＭＢＳＦＮ−ＩＤ）をユニキャスト基地局装置５０に送信するように無線通信部１１０（無線送信部１１１）を制御する。より詳細には、制御部１２０は、マルチキャスト基地局装置２０からマルチキャストサービスに係る情報を受信する前に、識別情報をユニキャスト基地局装置５０に送信するように無線通信部１１０（無線送信部１１１）を制御する。
【００５１】
また、制御部１２０は、ユニキャストサービスに係る情報をユニキャスト基地局装置５０から受信するように無線通信部１１０（無線受信部１１２）を制御する。なお、ユニキャスト基地局装置５０から受信するユニキャストサービスに係る情報には、ユニキャストサービスに係る情報の着信があった旨を示す着信情報も含まれる。
【００５２】
また、制御部１２０は、マルチキャストサービスに係る情報をマルチキャスト基地局装置２０から受信するように無線通信部１１０（無線受信部１１２）を制御する。
【００５３】
また、制御部１２０は、ユニキャストサービスに係る情報の着信があった旨を示す着信情報をマルチキャスト基地局装置２０から受信するように無線通信部１１０（無線受信部１１２）を制御する。より詳細には、制御部１２０は、マルチキャストサービスに係る情報をマルチキャスト基地局装置２０から受信しているときに、上記着信情報をマルチキャスト基地局装置２０から受信するように無線通信部１１０（無線受信部１１２）を制御する。
【００５４】
また、制御部１２０は、マルチキャスト基地局装置２０からのマルチキャストサービスに係る情報を受信することを終了するように無線通信部１１０（無線受信部１１２）を制御する。より詳細には、制御部１２０は、マルチキャストサービスに係る情報をマルチキャスト基地局装置２０から受信しているときに、マルチキャスト基地局装置２０からユニキャストサービスに係る着信情報した場合に、マルチキャスト基地局装置２０からのマルチキャストサービスに係る情報を受信することを終了するように無線通信部１１０（無線受信部１１２）を制御する。
【００５５】
なお、図３に記載を省略（非図示）したが、移動局装置１０は、ユーザインターフェイス、および、種々の情報を記憶する記憶部を備える。ユーザインターフェイスの一例は、各種ボタン、マイク、スピーカ、画面（モニタ）、ＬＥＤ（Ｌｉｇｈｔ  Ｅｍｉｔｔｉｎｇ  Ｄｉｏｄｅ）、振動発生用モータなどである。また、記憶部に記憶する情報は、アドレスなどのユーザ情報、設定情報などのシステム情報などである。
【００５６】
図４および図５は、移動局装置１０、マルチキャスト基地局装置２０およびユニキャスト基地局装置５０の動作を説明する説明図である。なお、移動局装置１０は、マルチキャストセルエリアに位置し、同時にユニキャストセルエリアに位置するものとする。
【００５７】
移動局装置１０は、マルチキャスト待受状態かつユニキャスト待受状態において、ユーザからの指示（マルチキャストサービスに係る情報を受信すべき旨の明示的な操作）に従って、又は、設定に従って自動的に、図４に示すように、マルチキャスト基地局装置２０からのマルチキャストサービスに係る情報を受信している状態（マルチキャスト通信状態とも称する）に遷移する。即ち、制御部１２０は、マルチキャスト待受状態かつユニキャスト待受状態において、ユーザから各種ボタンなどを介して受け付けた指示に従って、又は、記憶部に記憶されている設定に従って、マルチキャスト基地局装置２０からのマルチキャストサービスに係る情報を受信するように無線通信部１１０を制御する。
【００５８】
移動局装置１０は、マルチキャスト通信状態へと移行するときは、受信可能なマルチキャストサービスをサーチ（検出）する。即ち、制御部１２０が、受信可能なマルチキャストサービスをサーチするように無線通信部１１０を制御する。具体的には、まず、移動局装置１０は、受信可能なマルチキャストサービスをサーチするときに、他の通信を実行しているときは、実行中の通信を切断し、待ち受け状態に移行する。移動局装置１０は、待ち受け状態において自移動局装置への呼び出しが行われないタイミングに、マルチキャストサービスを提供している可能性がある周波数帯域においてマルチキャストサービスをサーチする。
【００５９】
移動局装置１０は、マルチキャストサービスを１つ検出した場合、検出した１つのマルチキャストサービスを受信するべきマルチキャストサービスとして決定し、複数のマルチキャストサービスを検出した場合は、ユーザの選択又は設定に基づいて受信するべき１つのマルチキャストサービスを決定する。なお、当該決定は、制御部１２０が行う。
【００６０】
移動局装置１０は、受信するべきマルチキャストサービスを決定した場合、決定したマルチキャストサービスを提供するマルチキャストセルエリアを識別する識別情報（例えば、ＭＢＳＦＮ−ＩＤ）を、ユニキャスト基地局装置５０を介してネットワーク網７０（位置登録サーバ６０）に通知する。即ち、制御部１２０は、上記識別情報をユニキャスト基地局装置５０に送信するように無線通信部１１０を制御する。なお、移動局装置１０は、マルチキャスト基地局装置２０から識別情報を取得する。即ち、制御部１２０は、当該マルチキャストサービスを提供するマルチキャスト基地局装置２０から識別情報を取得するように無線通信部１１０を制御する。例えば、制御部１２０は、マルチキャスト通信状態へと移行するときに、より詳細にはマルチキャストサービスを決定したときに、決定したマルチキャストサービスを提供するマルチキャスト基地局装置２０から識別情報を取得するように無線通信部１１０を制御する。但し、無線通信部１１０は、制御部１２０の制御によらず、マルチキャスト基地局装置２０から識別情報を受信するようにしてもよい。また、同一タイミングで複数の基地局装置２０、３０、４０が識別情報を送信する場合には、移動局装置１０は、複数の基地局装置２０、３０、４０からの信号を合成して識別信号を取得してもよい。
【００６１】
なお、移動局装置１０は、マルチキャスト通信状態へと移行するときに、マルチキャスト基地局装置２０から識別情報を取得すると説明したが、移動局装置１０がマルチキャスト基地局装置２０から識別情報を取得するタイミングはこれに限定されない。例えば、移動局装置１０は、マルチキャストセルエリアに入ったときに、当該マルチキャストセルエリアにおいて当該マルチキャストサービスを提供するマルチキャスト基地局装置２０から識別情報を取得してもよい。即ち、制御部１２０は、マルチキャストセルエリアに入ったときに、当該マルチキャストセルエリアにおいてマルチキャストサービスを提供するマルチキャスト基地局装置２０から識別情報を取得するように無線通信部１１０を制御してもよい。
【００６２】
また、移動局装置１０は、受信するべきマルチキャストサービスを決定した場合、つまりマルチキャスト通信状態へと移行するときに、識別情報をネットワーク網７０（位置登録サーバ６０）に通知すると説明したが、移動局装置１０が識別情報をネットワーク網７０（位置登録サーバ６０）に通知するタイミングはこれに限定されない。例えば、移動局装置１０は、マルチキャストセルエリアに入ったときにマルチキャスト基地局装置２０から識別情報を取得する場合には、取得した識別情報を直ちにネットワーク網７０（位置登録サーバ６０）に通知してもよい。
【００６３】
識別情報を通知した移動局装置１０は、マルチキャストサービスを開始する。即ち、制御部１２０は、マルチキャストサービスに係る情報をマルチキャスト基地局装置２０から受信するように無線通信部１１０を制御する。
【００６４】
移動局装置１０は、マルチキャスト通信状態において、マルチキャスト基地局装置２０から送信された着信情報（当該移動局装置１０にユニキャストサービスに係る情報の着信があった旨を示す着信情報）を受信する。即ち、制御部１２０は、マルチキャスト通信状態において、上記着信情報を受信するように無線通信部１１０を制御する。なお、上記着信信号は、例えば、ＭＢＭＳによってマルチキャスト基地局装置２０から送信される。
【００６５】
移動局装置１０は、マルチキャスト通信状態において上記着信信号を受信した場合は、ユーザからの指示（着信信号に応答する旨の明示的な操作）に従って、又は、設定に従って自動的に、マルチキャストサービスに係る情報の受信を終了し、ユニキャスト基地局装置５０とユニキャストサービスに係る情報を送受信する状態（ユニキャスト通信状態とも称する）に遷移する。即ち、制御部１２０は、マルチキャスト通信状態において、ユーザから各種ボタンなどを介して受け付けた指示に従って、又は、記憶部（図示せず）に記憶されている設定に従って、マルチキャスト基地局装置２０からのマルチキャストサービスに係る情報を受信することを終了し、ユニキャスト基地局装置５０とのユニキャストサービスに係る情報を送受信するように無線通信部１１０を制御する。
【００６６】
なお、ユーザからの指示（着信信号に応答する旨の明示的な操作）に従ってマルチキャスト通信状態からユニキャスト通信状態に移行するようにするか、設定に従って自動的にマルチキャスト通信状態からユニキャスト通信状態に移行するようにするかを選択できるようするなどマルチキャスト通信状態からユニキャスト通信状態への移行に関する実施方法は特に制限はない。但し、ユーザからの指示（着信信号に応答する旨の明示的な操作）に従ってマルチキャスト通信状態からユニキャスト通信状態へ移行するという実施方法の場合、ユーザからの指示（着信信号に応答する旨の明示的な操作）がなかったときは、マルチキャスト通信状態が維持される（ユニキャスト通信状態へ移行しない）。
【００６７】
また、マルチキャスト通信状態において着信信号を受信した移動局装置１０は、着信情報を受信した旨をユーザに明示（例えば、画面表示、ＬＥＤ発光、音声出力、振動発生などの手段よる明示）することが好ましい。但し、設定に従って自動的にユニキャスト通信状態に移行する場合は、着信情報を受信した旨をユーザに明示しなくてもよい。
【００６８】
移動局装置１０は、ユニキャスト通信状態において、ユニキャストサービスに係る情報の受信が終了した場合を除き、図５に示すように、マルチキャスト基地局装置２０から送信されているマルチキャストサービスに係る情報を無視する（ユニキャスト通信状態を維持し、マルチキャスト通信状態に移行しない）。即ち、制御部１２０は、ユニキャストサービスに係る情報の受信を終了するように無線通信部１１０を制御した場合を除き、ユニキャストサービスに係る情報を受信し続けるように無線通信部１１０を制御する。なお、移動局装置１０は、ユニキャストサービスに係る情報の受信が終了した場合、マルチキャスト基地局装置２０から送信されているマルチキャストサービスに係る情報を受信することができるようになる（ユニキャスト通信状態からマルチキャスト待受状態かつユニキャスト待受状態へと移行する）。なお、移動局装置１０は、ユニキャスト通信状態において、例えば通話終了などによりユニキャストサービスに係る情報の送受信が完了した場合、電源不足となった場合、ユニキャストセルエリアの圏外になった場合などにユニキャストサービスに係る情報の受信を終了させる。なお、図５の移動局装置１０は、２×２のＭＩＭＯ受信によって高速にユニキャストサービスに係る情報を送受信している例である。なお、ユニキャスト基地局装置５０および移動局装置１０はそれぞれ２本の送受信アンテナを備えていてＭＩＭＯの送受信を行う。
【００６９】
図６は、本発明の実施形態の通信システムの動作を説明するシーケンス図である。図６において、左端は移動局装置１０、左から２番目はマルチキャスト基地局装置２０、左から３番目はユニキャスト基地局装置５０、右端はネットワーク網７０（マルチキャストサービスを提供するサーバ、ユニキャストサービスを提供するサーバまたは位置登録サーバ６０）の動作を示している。また、図６のシーケンス図において、移動局装置１０は、ユニキャストセルエリアおよびマルチキャストセルエリアに位置しているものとする。
【００７０】
ユニキャストセルエリアおよびマルチキャストセルエリアに位置する移動局装置１０は、各基地局装置から各受信エリアを識別するセルＩＤ（ＭＢＳＦＮ＿ＩＤ等）、システム帯域幅、アンテナ数などの通信システムに関する情報を取得する。即ち、移動局装置１０の制御部１２０は、通信システムに関する情報を受信するように無線通信部１１０を制御する。
【００７１】
通信システムに関する情報を取得した移動局装置１０は、ユニキャスト基地局装置５０を介して、ユニキャストサービスに係る位置情報をネットワーク網７０（位置登録サーバ６０）に送信する（ステップＳ１０）。また、移動局装置１０は、ユニキャスト基地局装置５０を介して、識別情報（例えば、ＭＢＳＦＮ＿ＩＤ）をネットワーク網７０（位置登録サーバ６０）に送信する（ステップＳ１０）。即ち、移動局装置１０の制御部１２０は、ユニキャストサービスに係る位置情報、および、識別情報をネットワーク網７０（位置登録サーバ６０）に送信するように無線通信部１１０を制御する。
【００７２】
ネットワーク網７０（位置登録サーバ６０）は、移動局装置１０から送信された位置情報、識別情報および移動局装置１０を識別する情報を対応付けて記憶する。これにより、ネットワーク網７０（マルチキャストサービスを提供するサーバ、ユニキャストサービスを提供するサーバおよび位置登録サーバ６０）は、移動局装置１０の位置するユニキャストセルエリアとマルチキャストセルエリアとを特定することができる。
【００７３】
ユニキャストサービスに係る位置情報、識別情報をネットワーク網７０（位置登録サーバ６０）に送信した移動局装置１０は、その後、ユーザからの指示（マルチキャストサービスに係る情報を受信すべき旨の明示的な操作）に基づいて、又は、設定に基づいて自動的に、マルチキャスト基地局装置２０からマルチキャストサービスに係る情報を受信（マルチキャスト通信状態へ移行）する。即ち、移動局装置１０の制御部１２０は、ユーザから各種ボタンなどを介して受け付けた指示に従って、又は、記憶部に記憶されている設定に従って、マルチキャスト基地局装置２０からのマルチキャストサービスに係る情報を受信するように無線通信部１１０を制御する。
【００７４】
マルチキャスト基地局装置２０は、マルチキャストサービスに係る情報を送信しているときに、ネットワーク網７０（マルチキャストサービスを提供するサーバ）から移動局装置１０に対するユニキャストサービスに係る情報の着信があった旨を示す着信情報を受信した場合（マルチキャストセルエリアページング）（ステップＳ２０）、移動局装置１０に着信情報を送信する（ステップＳ３０）。即ち、マルチキャスト基地局装置２０の制御部２２０は、ネットワーク通信部２００がネットワーク網７０（マルチキャストサービスを提供するサーバ）から着信情報を受信した場合、着信情報を移動局装置１０に送信する、つまりマルチキャストセルエリアに対して着信情報を送信するように無線送信部２１１を制御する（ｐａｇｉｎｇ１）。
【００７５】
なお、マルチキャスト基地局装置２０は、着信情報を移動局装置１０が受信可能な種々の方法によって送信する。例えば、マルチキャスト基地局装置２０は、報知チャネルやページングチャネルを利用して着信情報を移動局装置１０に送信する。報知チャネルは、マルチキャストセルエリア全体に信号を送信するためのチャネルであって、例えば、「3ＧＰＰ  ＴＳ３６．３００  ７．４ Ｓｙｓｔｅｍ  Ｉｎｆｏｒｍａｔｉｏｎ、１５．３．５  ＭＣＣＨ  Ｓｔｒｕｃｔｕｒｅ、Ｄ．２  ＭＢＭＳ  ｔｒａｎｓｍｉｓｓｉｏｎ」に記載の報知チャネル（ＢＣＣＨ）などである。ページングチャネルは、「３ＧＰＰ  ＴＳ３６．３００  ５．３  Ｔｒａｎｓｐｏｒｔ  Ｃｈａｎｎｅｌｓ、１０．１．４  Ｐａｇｉｎｇ  ａｎｄ  Ｃ−ｐｌａｎｅ  ｅｓｔａｂｌｉｓｈｍｅｎｔ」に記載のページングチャネルなどである。
【００７６】
マルチキャストセルエリア全体に、常時、送信されている報知チャネル（報知情報）を使用して着信情報を送信する場合、ユニキャストサービスに係る情報の着信を短時間に移動局装置１０に通知することができるようになる。
【００７７】
一方、ページングチャネルを使用する場合、群分け等の仕様を規定しておけば、仕様による所定のタイミングでページングチャネルを監視すればよく、ページングチャネルを監視するタイミングを最小限に絞り込むことができるようになる。従って、移動局装置１０の消費電力を抑え、移動局装置１０の稼動時間（例えばＭＢＭＳコンテンツの視聴時間）を延ばすことが可能になる。
【００７８】
着信情報を受信した移動局装置１０は、ユーザからの指示（着信信号に応答する旨の明示的な操作）に従って、又は、設定に従って自動的に、マルチキャストサービスに係る情報の受信を終了する。即ち、移動局装置１０の制御部１２０は、ユーザから各種ボタンなどを介して受け付けた指示に従って、又は、記憶部に記憶されている設定に従って、マルチキャスト基地局装置２０からのマルチキャストサービスに係る情報を受信することを終了するように無線通信部１１０を制御する。
【００７９】
移動局装置１０は、マルチキャストサービスに係る情報の受信を終了した後、ユニキャスト基地局装置５０を介して、再度、ユニキャストサービスに係る位置情報をネットワーク網７０（位置登録サーバ６０）に送信する（ステップＳ４０）。即ち、移動局装置１０の制御部１２０は、ユニキャストサービスに係る位置情報をネットワーク網７０（位置登録サーバ６０）に送信するように無線通信部１１０を制御する。ネットワーク網７０（位置登録サーバ６０）は、移動局装置１０から送信された位置情報を登録する。
【００８０】
続いて、ネットワーク網７０（ユニキャストサービスを提供するサーバ）は、ユニキャスト基地局装置５０に着信情報を送信する（ユニキャストセルエリアページング）（ステップＳ５０）。ユニキャスト基地局装置５０は、ネットワーク網７０（ユニキャストサービスを提供するサーバ）から着信情報を受信した場合、移動局装置１０に着信情報を送信する（ステップＳ６０）。即ち、ユニキャスト基地局装置５０の制御部５２０は、着信情報を移動局装置１０に送信する、つまりユニキャストセルエリアに対して着信情報を送信するように無線通信部５１０を制御する（ｐａｇｉｎｇ２）。
【００８１】
着信情報を受信した移動局装置１０は、ユニキャスト基地局装置５０とユニキャストサービスに係る情報を送受信（ユニキャスト通信状態へ移行）する。即ち、移動局装置１０の制御部１２０は、ユニキャスト基地局装置５０からのユニキャストサービスに係る情報を受信する受信するように無線通信部１１０を制御する。そして、本シーケンス図は終了する。
【００８２】
なお、ステップＳ３０においてマルチキャスト基地局装置２０が移動局装置１０に着信情報を送信した後に、移動局装置１０がマルチキャストサービスに係る情報の受信を終了しない場合（例えば、着信信号に応答する旨の明示的な操作がない場合や着信情報を無視する旨の設定をしていた場合）、ネットワーク網７０（位置登録サーバ６０）へのユニキャストサービスに係る位置情報の送信処理（ステップＳ４０）が行われないため、ネットワーク網７０（ユニキャストサービスを提供するサーバ）は、移動局装置１０を圏外であると発信側に通知する。従って、その後の着信信号の送信（ユニキャストセルエリアページング、ｐａｇｉｎｇ２）は実行されず不要な回線設定手続は省略される。
【００８３】
以上、本実施形態によれば、簡便な方法によって、ユニキャストサービス、および、専用の周波数帯を利用する受信専用のマルチキャストサービス（例えば、ｄｅｄｉｃａｔｅｄ−ＭＢＭＳ）の両サービスに対応するような移動局装置１０が、専用の周波数帯を利用する受信専用のマルチキャストサービスを受けているときであっても、ユニキャストサービスによる着信通知を受けることができるようになる。つまり、移動局装置１０を上記両通信方式の各々受信可能なデュアル端末化させることなく、位置登録手順（処理）、ページング手順、受信中断手順などのソフトウェア改変によって、専用の周波数帯を利用する受信専用のマルチキャストサービスを受けているときであっても、ユニキャストサービスによる着信通知を受けることができるようになる。
【００８４】
また、本実施形態では、ユーザからの指示（着信信号に応答する旨の明示的な操作）に従ってマルチキャスト通信状態からユニキャスト通信状態に移行させることもできるため、ユーザは、新たに着信したユニキャストサービスに係る情報を受信するよりも現在受信中のマルチキャストサービスに係る情報の受信を希望する場合には、新たに着信したユニキャストサービスに係る情報を受信せずに現在受信中のマルチキャストサービスに係る情報を受信し続けることができる。
【００８５】
なお、移動局装置１０は、あるマルチキャストサービスを受けているときに、現在受けているマルチキャストサービスと異なるマルチキャストサービスのマルチキャストセルエリアに移動した場合、又は、現位置にて現在受けているマルチキャストサービスと異なるマルチキャストサービスも同時に提供されている場合に、自動的に又はユーザ操作に従って、現在受けているマルチキャストサービスに係るマルチキャストセルエリアを識別する識別情報（つまりネットワーク網７０（位置登録サーバ６０）に登録した識別情報）と異なる新たな識別情報を取得する場合も想定される。この場合、移動局装置１０は、まず、新たな識別情報の受信した時点で、現在受けているマルチキャストサービスを受けることを終了する。次に、移動局装置１０は、受信可能なユニキャスト基地局装置をサーチして、ネットワーク網７０（位置登録サーバ６０）に登録されている識別情報を新たに受信するマルチキャストサービスに係るマルチキャストセルエリアを識別する識別情報に更新する。その後、移動局装置１０は、新たなマルチキャストサービスに係る情報の受信を開始する。これにより、移動局装置１０は、同様の方法によって、新たなマルチキャストサービスを受けているときであっても、ユニキャストサービスによる着信通知を受けることができるようになる。
【００８６】
なお、本実施形態では、無線アクセスネットワーク８０に用いる通信アクセス技術としてＯＦＤＭ技術を用いた例を説明したが、他の通信アクセス技術も適用可能である。また、マルチキャスト基地局装置２０は、報知チャネルまたはページングチャネルを使用した着信情報を送信するほか、マルチキャストサービスに係る情報（ＭＢＭＳの情報）として着信情報を送信してもよい。換言すれば、マルチキャスト基地局装置２０は、マルチキャストサービスに係る情報に着信情報を挿入し、移動局装置１０に送信してもよい。
【００８７】
更に、マルチキャスト通信状態において、近傍の（通信可能な）ユニキャスト基地局装置５０）の情報をマルチキャストサービスに係る情報または報知チャネルによる報知情報として移動局装置１０に予め通知することによって、識別情報（例えば、ＭＢＳＦＮ＿ＩＤ）をネットワーク網７０（位置登録サーバ６０）に送信するときに中継させるユニキャスト基地局装置５０をサーチする時間を短縮してもよい。即ち、移動局装置１０は、マルチキャスト通信状態（例えば、Ｄｅｄｉｃａｔｅｄ−ＭＢＭＳを受信中）ではユニキャスト基地局装置５０に対しては圏外状態となるため、識別情報の送信時にユニキャスト基地局装置５０をサーチ（ユニキャスト基地局装置５０に対する位置登録）しなければならないが、ユニキャスト基地局の情報を予め入手しておくことによってサーチ時間を短縮（または省略）することができるようになる。なお、マルチキャスト通信状態に移行する都度（つまり識別情報を送信する都度）、ユニキャスト基地局装置５０をサーチする理由は、移動局装置１０の移動によって属するユニキャストセルエリアが変わることがあるからである。
【００８８】
なお、本実施形態では、着信情報を送出するマルチキャストセルエリアを特定するため、ユニキャスト基地局装置５０を介して、識別情報（例えば、ＭＢＳＦＮ−ＩＤ）をネットワーク網７０（位置登録サーバ６０）に登録するが、移動局装置１０がネットワーク網７０にキャンプオンしている場合には、識別情報を送信するためにユニキャスト基地局装置５０をサーチする必要はない。現在、接続中（通信可能状態にある）のユニキャスト基地局装置５０を介して、識別情報をネットワーク網７０（位置登録サーバ６０）に登録すればよいからである。また、ユニキャスト基地局装置５０において、着信情報を送出するマルチキャストセルエリアを特定できるのであれば、移動局装置１０は、ユニキャスト基地局装置５０に識別情報を送信することなく、マルチキャスト通信状態にある旨をネットワーク網７０（ユニキャストサービスを提供するサーバ）またはユニキャスト基地局装置５０に通知することで、着信情報を送出するマルチキャストセルエリアを特定することができる。
【００８９】
なお、本実施形態では、マルチキャストセルエリアを識別する識別情報（例えば、ＭＢＳＦＮ−ＩＤ）をネットワーク網７０（位置登録サーバ６０）に登録したが、マルチキャスト基地局装置２０、３０、４０の各受信エリアを識別する識別情報をネットワーク網７０（位置登録サーバ６０）に登録してもよい。
【００９０】
なお、本実施形態における「マルチキャスト」は、複数の相手に送信するという意味であって、特定の複数の相手であるか不特定の複数の相手であるかは問わない。つまり。本実施形態における「マルチキャスト」の概念は、例えば、マルチキャストの概念とは別にブロードキャストの概念が存在するＴＣＰ／ＩＰのＩＰｖ４におけるマルチキャストの概念に相当するものではなく、ブロードキャストをマルチキャストの１つとして捉えるＴＣＰ／ＩＰのＩＰｖ６におけるマルチキャストの概念に相当する。
【００９１】
なお、移動局装置１０の各機能（無線通信部１１０、制御部１２０による機能）を実現するためのプログラムをコンピュータ読み取り可能な記録媒体に記録して、当該記録媒体に記録されたプログラムをコンピュータシステムに読み込ませ、実行することにより、移動局装置１０に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００９３】
以上、本発明の実施形態を図面を参照して詳述したが、具体的な構成は上記実施形態に限られるものではなく、本発明の要旨を逸脱しない範囲の設計変更等も特許請求の範囲に含まれる。
【産業上の利用可能性】
【００９４】
本発明の通信システムは、携帯電話などの移動体通信システムの移動局装置および基地局装置に、適用できる。
【符号の説明】
【００９５】
１・・・通信システム
１０・・・移動局装置
２０、３０、４０・・・基地局装置（マルチキャスト基地局装置）
５０・・・基地局装置（ユニキャスト基地局装置）
６０・・・位置登録サーバ（ＨＲＳ）
７０・・・ネットワーク網
８０・・・無線アクセスネットワーク
１１０・・・無線通信部（移動局側無線通信部）
１１１・・・無線送信部
１１２・・・無線受信部
１２０・・・制御部（移動局側制御部）
１３０・・・デュプレクサ
１４０・・・アンテナ部
２００・・・ネットワーク通信部
２１１・・・無線送信部（基地局側無線通信部）
２２０・・・制御部（基地局側制御部）
２４０・・・アンテナ部
５００・・・ネットワーク通信部
５１０・・・無線通信部
５１１・・・無線送信部
５１２・・・無線受信部
５２０・・・制御部
５３０、５３１・・・デュプレクサ
５４０、５４１・・・アンテナ部
【図１】
0005455241.tif 000002
【図２Ａ】
0005455241.tif 000003
【図２Ｂ】
0005455241.tif 000004
【図３】
0005455241.tif 000005
【図４】
0005455241.tif 000006
【図５】
0005455241.tif 000007
【図６】
0005455241.tif 000008